(57)【特許請求の範囲】
【請求項１】
所定方向において順番に設置されるサブ表示領域と、画素補償領域と、前記サブ表示領域及び前記画素補償領域以外の伸縮領域とを含む表示領域と、
前記伸縮領域に設置され、ストレッチャブルディスプレイが受ける引張力の強さを感知する検出ユニットと、
前記検出ユニットの信号を受信し、前記引張力の強さに基づいて対応する画素補償領域を制御して発光させる画素補償制御ユニットと、を含み、
伸張状態において、前記画素補償領域の発光面積は前記引張力の強さと対応し、前記引張力の強さが大きいほど、前記画素補償領域の発光面積が広くなる
ことを特徴とするストレッチャブルディスプレイ。
【請求項２】
前記検出ユニットはフレキシブルセンサーであり、前記画素補償制御ユニットはコントローラであり、
前記サブ表示領域と前記画素補償領域とは別々で制御される
ことを特徴とする請求項１に記載のストレッチャブルディスプレイ。
【請求項３】
前記画素補償領域の発光面積の総和の、前記サブ表示領域の発光面積の総和に対する比の値は、０より大きく且つ０．５以下である
ことを特徴とする請求項１に記載のストレッチャブルディスプレイ。
【請求項４】
前記サブ表示領域及び前記画素補償領域は、それぞれ少なくとも１つの画素ユニットを含み、いずれの前記画素ユニットも互いに色が異なる３つのサブ画素を含み、
前記サブ表示領域及び前記画素補償領域において、同じ色を有するサブ画素は開口部面積が同一であり、
前記サブ表示領域における各前記画素ユニットの前記３つのサブ画素は二等辺三角形になるように配列され、前記二等辺三角形の垂直二等分線は前記所定方向と平行である
ことを特徴とする請求項１に記載のストレッチャブルディスプレイ。
【請求項５】
前記伸縮領域は、前記ストレッチャブルディスプレイに垂直な方向に沿って、前記ストレッチャブルディスプレイの基板、薄膜トランジスタＴＦＴ層及び有機発光ダイオードＯＬＥＤ層を貫通する
ことを特徴とする請求項１に記載のストレッチャブルディスプレイ。
【請求項６】
前記サブ表示領域と前記画素補償領域とは、同じ層構造を有し、
前記伸縮領域は応力解放モジュールを含み、
前記応力解放モジュールにおける各層は、前記サブ表示領域及び前記画素補償領域における各層と一対一対応する
ことを特徴とする請求項１に記載のストレッチャブルディスプレイ。
【請求項７】
前記伸縮領域における各層の材料はいずれも形状記憶ポリマーであり、
前記形状記憶ポリマーは、スチレン系又はエポキシ系ポリマーを含む
ことを特徴とする請求項６に記載のストレッチャブルディスプレイ。
【請求項８】
前記サブ表示領域は一般画素ユニットを含み、前記画素補償領域は補償画素ユニットを含み、
前記補償画素ユニットは前記一般画素ユニットの、前記ストレッチャブルディスプレイの引張方向と反対側に位置し、前記補償画素ユニットと前記一般画素ユニットとの間の距離は
【数１】
0006961805.tif 000007
となり、
ここで、Ｌは前記ストレッチャブルディスプレイの隣接する前記一般画素ユニットの間の距離の伸びであり、Ｄは引っ張られる前の前記ストレッチャブルディスプレイの引張方向における、前記補償画素ユニットの両側に位置する２つの前記一般画素ユニット同士の間の距離である
ことを特徴とする請求項１に記載のストレッチャブルディスプレイ。
【請求項９】
前記補償画素ユニットは複数であり、前記複数の補償画素ユニットが前記所定方向に沿って線形的に配列され、
前記サブ表示領域及び前記画素補償領域は別々に制御され、前記引張力の強さが大きいほど、前記複数の補償画素ユニットのうち前記一般画素ユニットとの距離ｄがより大きい補償画素ユニットが選出されて前記一般画素ユニットの代わりに発光する
ことを特徴とする請求項８に記載のストレッチャブルディスプレイ。
【発明の詳細な説明】
【技術分野】
【０００１】
本願は、ディスプレイ技術分野に関し、具体的にはストレッチャブルディスプレイ及び表示装置に関する。
【背景技術】
【０００２】
近年、表示技術の急速な成長につれて、ディスプレイが様々な業界で活用されるようになってきた。しかし、ウェアラブルディスプレイなどの一部の特定分野には制限的な条件が存在するため、剛性ディスプレイであればこのような分野による要件を満足することができない。その結果、伸縮性を有するストレッチャブルディスプレイが誕生した。しかしながら、力を受けて引っ張られた場合、従来のストレッチャブルディスプレイには表示の変形又は解像度の低下などの問題が頻繁に発生している。
【発明の概要】
【発明が解決しようとする課題】
【０００３】
以上に鑑みて、本願の実施例は、従来のストレッチャブルディスプレイが引っ張られた場合に発生する画像の変形及び解像度の低下の課題を解決するために、ストレッチャブルディスプレイを提供する。
【課題を解決するための手段】
【０００４】
本願の１つの態様は、ストレッチャブルディスプレイを提供する。当該ストレッチャブルディスプレイは、所定方向において順番に設置されるサブ表示領域と、画素補償領域と、サブ表示領域及び画素補償領域以外の伸縮領域とを含む表示領域と、伸縮領域に設置されてストレッチャブルディスプレイが受ける引張力の強さを感知する検出ユニットと、検出ユニットの信号を受信し、引張力の強さに基づいて対応する画素補償領域を制御して発光させる画素補償制御ユニットと、を含む。また、伸張状態において、画素補償領域の発光面積は引張力の強さと対応している。また、引張力の強さが大きいほど、画素補償領域の発光面積が広くなる。
【０００５】
選択的に、検出ユニットはフレキシブルセンサーであってもよく、画素補償制御ユニットはコントローラであってもよい。
【０００７】
選択的に、画素補償領域の発光面積の総和の、サブ表示領域の発光面積の総和に対する比の値は、０より大きく０．５以下である。
選択的に、サブ表示領域及び画素補償領域は、それぞれ少なくとも１つの画素ユニットを含み、いずれの画素ユニットも互いに色が異なる３つのサブ画素を含む。また、サブ表示領域及び画素補償領域において、同じ色を有するサブ画素は開口部面積が同一である。
【０００８】
選択的に、サブ表示領域における各画素ユニットの３つのサブ画素は二等辺三角形になるように配列され、二等辺三角形の垂直二等分線が所定方向と平行になる。
選択的に、伸縮領域は、ストレッチャブルディスプレイに垂直な方向に沿って、ストレッチャブルディスプレイの基板、ＴＦＴ層及びＯＬＥＤ層を貫通する。
【０００９】
選択的に、サブ表示領域と画素補償領域とは、同じ層構造を有する。
選択的に、伸縮領域は応力解放モジュールを含み、応力解放モジュールにおける各層は、サブ表示領域及び画素補償領域における各層と一対一対応する。
【００１０】
選択的に、伸縮領域における各層の材料はいずれも形状記憶ポリマーである。
選択的に、形状記憶ポリマーはスチレン系又はエポキシ系ポリマーである。
【００１１】
選択的に、サブ表示領域は一般画素ユニットを含み、画素補償領域は補償画素ユニットを含む。なお、補償画素ユニットは一般画素ユニットの、ストレッチャブルディスプレイの引張方向と反対側に位置し、補償画素ユニットと一般画素ユニットとの間の距離は
【数１】
0006961805.tif 000002
となる。ここで、Ｌはストレッチャブルディスプレイの隣接する一般画素ユニットの間の距離の伸びであり、Ｄは引っ張られる前のストレッチャブルディスプレイの引張方向における、補償画素ユニットの両側に位置する２つの一般画素ユニット同士の間の距離である。
【００１２】
選択的に、補償画素ユニットは複数であり、複数の補償画素ユニットが所定方向に沿って線形的に配列され、サブ表示領域及び画素補償領域は別々に制御される。引張力の強さが大きいほど、一般画素ユニットからの距離ｄがより大きい補償画素ユニットが複数の補償画素ユニットのうちから選出されて一般画素ユニットの代わりに発光するようになる。
本願の他の態様は表示装置を提供する。当該表示装置は、上述のストレッチャブルディスプレイを備える。
【発明の効果】
【００１３】
本願により提供されるストレッチャブルディスプレイ及び表示装置によると、検出ユニットがフレキシブル領域の変形を検出した場合、画素補償制御ユニットは実際の状況に応じて対応する画素補償領域をトリガーして発光させることによって、ディスプレイが引っ張られる前後の画素密度を維持することができ、つまり、引張によってディスプレイの表示が変形してしまうことを防ぐことができる。
【図面の簡単な説明】
【００１４】
【図１ａ】本願の一実施例により提供されるストレッチャブルディスプレイの構造模式図である。
【図１ｂ】図１ａによるストレッチャブルディスプレイの局部的な断面構造を示す模式図である。
【図１ｃ】本願の他の実施例により提供されるストレッチャブルディスプレイの構造模式図である。
【図１ｄ】図１ａによるストレッチャブルディスプレイにおける１つの反復ユニットの拡大図である。
【図２】本願の一実施例により提供される図１ｄに示される表示ユニットの３つの作動状態における表示効果を示す模式図である。
【図３】本願の一実施例により提供されるストレッチャブルディスプレイの構造模式図である。
【図４】一実施例により提供されるストレッチャブルディスプレイにおけるサブ画素の配列状態を示す模式図である。
【図５】本願の一実施例により提供されるストレッチャブルディスプレイの断面図である。
【発明を実施するための形態】
【００１５】
本願の目的、技術案及び長所をより明確にするために、以下、図面を参照しながら本願についてより詳しく説明する。
【００１６】
図１ａは、本願の一実施例により提供されるストレッチャブルディスプレイの構造模式図である。図１ｂは、図１ａによるストレッチャブルディスプレイの局部的な断面構造を示す模式図である。図１ａと図１ｂを合わせればわかるように、当該ストレッチャブルディスプレイ１０は、表示領域１１、検出ユニット１２及び画素補償制御ユニット（図示せず）を含む。ここで、表示領域１１は、予め設定された方向に沿って順次に設置されるサブ表示領域１１１と、画素補償領域１１３と、サブ表示領域１１１及び画素補償領域１１３以外の伸縮領域１１２と、を含む。検出ユニット１２は伸縮領域１１２において設置され、ストレッチャブルディスプレイが受ける引張力の強さを感知する。画素補償制御ユニットは、検出ユニット１２の信号を受信し、引張力の強さに基づいて対応する画素補償領域１１３を制御して発光させる。
【００１７】
なお、画素補償領域１１３及びサブ表示領域１１１は、少なくとも１つの画素ユニットを含んでもよい。例えば、図１ａに示すように、画素補償領域１１３及びサブ表示領域１１１はそれぞれ複数の画素ユニットを含み、ここで、１つの小さい四角形は１つの画素ユニットを表す。
【００１８】
一実施例において、画素補償領域１１３における発光面積の総和と、サブ表示領域における発光面積の総和との比の値は、０より大きく且つ０．５以下である。
【００１９】
本実施例により提供されるストレッチャブルディスプレイ１０において、画素補償領域１１３とサブ表示領域１１１とは別々で制御されることができる。具体的に、ストレッチャブルディスプレイ１０が引っ張られていない場合には、コントローラがサブ表示領域１１１を制御して表示させる。一方で、ストレッチャブルディスプレイ１０が引っ張られている場合には、画素補償領域１１３が発光してサブ表示領域１１１と共に表示するよう、画素補償制御ユニットが制御する。このように、画素補償領域１１３を用いて画素ユニットの数を補償してサブ表示領域１１１の変形を矯正することによって、ストレッチャブルディスプレイ１０が引っ張られる前後の画素密度を維持し、表示の変形を防ぐことを実現する。
【００２０】
図１ｂは、本願の一実施例により提供される図１ａによるストレッチャブルディスプレイの局部的な断面構造を示す模式図である。図面からわかるよう、当該ストレッチャブルディスプレイ２０は、基板２１と、表示領域２２と、検出ユニット２３とを含む。ここで、基板２１は剛性領域２１１及び伸縮領域２１２を含む。表示領域２２は剛性領域２１１に設置され、いくつかのサブ表示領域２２１と、サブ表示領域２２１の周辺に設置されるいくつかの画素補償領域２２２とを含む。検出ユニット２３は伸縮領域２１２に設置され、伸縮領域２１２の変形を検出する。画素補償制御ユニットは変形量によって、いくつかの画素補償領域２２２のうちの一部又はすべてをトリガーして発光させる。なお、引張力の強さが大きければ大きいほど、画素補償領域の発光面積が広くなり、つまり、伸張状態においては、引張力の強さが画素補償領域２２２の発光面積と対応する。
【００２１】
ここで、検出ユニットはフレキシブルセンサーであってもよく、画素補償制御ユニットはコントローラである。画素補償領域２２２とサブ表示領域２２１は、同一のコントローラによって制御されてもよく、別々で設置されたコントローラによってそれぞれ制御されてもよい。
【００２２】
図１ｃは、本願の他の実施例により提供されるストレッチャブルディスプレイの構造模式図である。図面からわかるよう、当該ストレッチャブルディスプレイにおけるサブ表示領域３１の周辺においては、半径方向に沿って複数の画素補償領域３２が設置されており、いずれの画素補償領域３２も複数の補償画素ユニット３２１を含む。当該ストレッチャブルディスプレイ、例えばウェアラブルディスプレイのようなストレッチャブルディスプレイは、複数の引張方向を有する。伸縮領域が複数の引張方向において変形したことが検出ユニット３３によって判明された場合、画素補償制御ユニットは引張力の強さに応じて、対応する数の補償画素ユニットをトリガーして発光させる。引張力の強さが大きければ大きいほど、サブ表示領域３１から半径方向に沿って配列されている補償画素ユニット３２１のうち、発光する補償画素ユニット３２１が多くなる。
【００２３】
図１ｄは、図１ａによるストレッチャブルディスプレイにおける１つの反復ユニットの拡大図である。図面からわかるよう、画素補償領域１１３は複数の補償画素ユニット１１３０を含み、サブ表示領域１１１は複数の一般画素ユニット１１１０を含み、補償画素ユニット１１３０は一般画素ユニット１１１０の、ストレッチャブルディスプレイ１０の引張方向Ｆの反対側に位置する。例えば，図１ａに示すよう、引張方向Ｆが水平な左方向となる場合、四角枠の中の補償画素ユニット１１３０は一般画素ユニット１１１０の右側に位置する。補償画素ユニット１１３０と一般画素ユニット１１１０との間の距離ｄは、補償画素ユニット１１３０の両側に位置する一般画素ユニット１１１０同士の間の、ストレッチャブルディスプレイの引張方向における距離Ｄ、及び、ストレッチャブルディスプレイ１０の伸びＬによって決定される。具体的に、補償画素ユニット１１３０と一般画素ユニット１１１０の間の距離は、
【数２】
0006961805.tif 000003
である。
【００２４】
ここで、一般画素ユニット１１１０とは、ストレッチャブルディスプレイ１０が引っ張られていない場合に画像を表示する画素であり、補償画素ユニット１１３０とは、ストレッチャブルディスプレイ１０が引っ張られている場合に一般画素ユニット１１１０の代わりに画像を表示する画素である。このとき、一般画素ユニット１１１０と補償画素ユニット１１３０とは、開口部の面積が同一となる。一般画素ユニット１１１０の形状と補償画素ユニット１１３０の形状とは、同一であってもよく、異なってもよく、例えば、それぞれが円形、四角形及び扇形のうちのいずれかを含んでもよく、本願はそれについて限定しない。
【００２５】
本実施例により提供されるストレッチャブルディスプレイは、一般画素ユニット１１１０以外に補償画素ユニット１１３０も設置することによって、引っ張られる場合の表示変形を回避するとともに、画素密度の低下を防止することができる。
【００２６】
以下、図面を参照しながら、本願により提供されるストレッチャブルディスプレイが引っ張られる場合の表示変形及び画素密度の低下を回避する原理について詳しく説明する。
【００２７】
図２は、本願の一実施例により提供される図１ｄに示される表示ユニットの３つの作動状態における表示効果を示す模式図である。状態１を参照すると、引っ張られていない場合、ストレッチャブルディスプレイ４０は第１の一般画素ユニット４１及び第２の一般画素ユニット４２によって画像を表示し、表示される図形は図面の中の四角枠に示される通りである。ここで、第１の一般画素ユニット４１と第２の一般画素ユニット４２との間の距離はＤであり、補償画素ユニット４３と第２の一般画素ユニット４２との間の距離はｄである。
【００２８】
状態２を参照すると、ストレッチャブルディスプレイ４０に対して水平な右方向への引張力をかける場合、引張力の方向に沿って、ストレッチャブルディスプレイ４０の伸びはＬとなる。このとき、変わらずに第２の一般画素ユニット４２及び第１の一般画素ユニット４１によって画像を表示すると、四角枠に示されるように、表示される画像が変形してしまうだけでなく、画素同士の間の距離が大きくなって画素密度が低下してしまう。
【００２９】
状態３を参照すると、状態２に示す場合において、補償画素ユニット４３及び第１の一般画素ユニット４１の間の距離と、補償画素ユニット４３及び第２の一般画素ユニット４２の間の距離との比の値は、引張が発生する前後に変わらないように維持されるべきであり、すなわち、
【数３】
0006961805.tif 000004
となる。ここで、ｘは引っ張られた後の補償画素ユニット４３と第１の一般画素ユニット４１との間の距離である。さらに、
【数４】
0006961805.tif 000005
を代入すると、
【数５】
0006961805.tif 000006
となる。
【００３０】
つまり、本願により提供されるストレッチャブルディスプレイが引っ張られた後、補償画素ユニット４３は、引っ張られる前の第２の一般画素ユニット４２の位置にちょうど位置する。このとき、第２の一般画素ユニット４２の代わりに補償画素ユニット４３を用いて第１の一般画素ユニット４１と共に画像を表示し、表示される画像は四角枠に示される通りである。つまり、引っ張られる前後の表示画素は、画素間距離も数も変わらない。このように、引張が発生した後に表示が変形することを回避するとともに、画素密度の低下を防止することができる。
【００３１】
図３は、本願の一実施例により提供されるストレッチャブルディスプレイの構造模式図である。図面からわかるよう、ストレッチャブルディスプレイ５０と、図１ａによるストレッチャブルディスプレイ１０との相違点として、ストレッチャブルディスプレイ５０は複数の画素補償領域５１を含み、例えば図３に示すように３つの画素補償領域５１を含む。当該複数の画素補償領域５１は、ストレッチャブルディスプレイ５０の引張方向Ｆに沿って線形的に配列される。このとき、当該複数の画素補償領域５１の間距離は等しくてもよく、等しくなくてもよい。
【００３２】
本実施例により提供されるストレッチャブルディスプレイによると、複数の画素補償領域５１を設置することによって、サブ表示領域５２の代わりに、ストレッチャブルディスプレイ５０の伸びに基づいて該当する位置にある画素補償領域５１を合理的に選択して用いることができるため、ストレッチャブルディスプレイ５０の伸縮範囲を拡大することができる。
【００３３】
図４は、一実施例により提供されるストレッチャブルディスプレイにおけるサブ画素の配列状態を示す模式図である。図面からわかるよう、当該ストレッチャブルディスプレイ６０において、サブ表示領域及び画素補償領域はそれぞれ少なくとも１つの画素ユニットを含み、いずれの画素ユニットも互いに色が異なる３つのサブ画素を含む。また、サブ表示領域及び画素補償領域において、同じ色を有するサブ画素は開口部面積が同一である。
【００３４】
具体的に、第１のサブ表示領域６１１、第２のサブ表示領域６１２及び第３のサブ表示領域６１３は、それぞれ３つの一般画素ユニットを含む。さらに、いずれの一般画素ユニットも３つのサブ画素を含み、当該３つの画素はそれぞれＲとＧとＢのそれぞれを表示する。ただし、３つのサブ表示領域におけるサブ画素は同一の色を表示するが、配列方式が異なってもよい。このとき、サブ表示領域におけるサブ画素の配列方式に基づいて、当該サブ画素に隣接する画素補償領域におけるサブ画素の色と配列方式を合理的に設置することができる。
【００３５】
例えば、図４に示すよう、第１のサブ表示領域６１１と第２のサブ表示領域６１２との間に位置する第１の画素補償領域６２１は、Ｂを表示する補償サブ画素６２１０のみを含む。Ｂを表示する補償サブ画素６２１０は、隣接するＲとＧを表示するサブ画素と共に三原色を構成する。第２のサブ表示領域６１２と第３のサブ表示領域６１３との間に位置する第２の画素補償領域６２２は、ＲとＧを表示する補償サブ画素６２２０を含む。補償サブ画素６２２０は、隣接するＢを表示する一般サブ画素と共に三原色を構成する。
【００３６】
一実施例において、サブ表示領域における各画素ユニットに含まれる３つのサブ画素は、二等辺三角形になるように配列される。このような二等辺三角形は、垂直二等分線が引張方向（すなわち所定方向）と平行になる。このとき、ストレッチャブルディスプレイ６０の制御プロセスは、例えば以下の通りであってもよい。ストレッチャブルディスプレイ６０が引っ張られていない場合、制御ユニットは、第１のサブ表示領域６１１においてＲ、Ｇ及びＢを表示するサブ画素が第２の色（例えば、水色）を表示するように制御し、第２のサブ表示領域６１２においてＲ、Ｇ及びＢを表示するサブ画素が第３の色（例えば、紺色）を表示するように制御することができる。ストレッチャブルディスプレイ６０が引っ張られている場合、制御ユニットは、Ｂを表示する補償サブ画素６２１０と第１のサブ表示領域６１１においてＲ及びＧを表示するサブ画素とが第２の色（すなわち、水色）を表示するように制御するか、又は、制御ユニットは、Ｂを表示する補償サブ画素６２１０と第２のサブ表示領域６１２においてＲ及びＧを表示するサブ画素とが第３の色（すなわち、紺色）を表示するように制御するか、又は、制御ユニットは、Ｂを表示する補償サブ画素６２１０と第１のサブ表示領域６１１及び第２のサブ表示領域６１２においてＲ及びＧを表示するサブ画素とが第２の色及び第３の色（すなわち、水色及び紺色）を表示するように制御することができる。
【００３７】
本実施例により提供されるストレッチャブルディスプレイにおいては、３つの色を完備する画素ユニットを設置する代わりに、一部の色しか有しないサブ画素のみを画素補償領域に設置すればよいため、ストレッチャブルディスプレイの製作プロセスを簡単化し、製作コストを削減することができる。そのほか、ストレッチャブルディスプレイが引っ張られる場合に表示する画像の品質を向上させることを実現して、ストレッチャブルディスプレイの表示品質が引張動作により影響されないように保証することができる。
【００３８】
図５は、本願の一実施例により提供されるストレッチャブルディスプレイの断面図である。図面からわかるよう、当該ストレッチャブルディスプレイ７０は伸縮領域７４０を含み、伸縮領域７４０はストレッチャブルディスプレイ７０と垂直になる方向に沿ってストレッチャブルディスプレイ７０の基板、ＴＦＴ層及びＯＬＥＤ層を貫通する。
【００３９】
具体的に、図５に示すよう、ストレッチャブルディスプレイ７０はサブ表示領域７１０、画素補償領域７２０及び伸縮領域７４０を含む。ここで、サブ表示領域７１０と画素補償領域７２０は、同様な膜の層構造を有する。サブ表示領域７１０を例として説明すると、サブ表示領域７１０は、順次に重なるフレキシブル有機層７１２と、フレキシブル基板７１３と、遮断層７１４と、ＴＦＴ（Ｔｈｉｎ  Ｆｉｌｍ  Ｔｒａｎｓｉｓｔｏｒ，薄膜トランジスタ）層７１５と、ＯＬＥＤ（Ｏｒｇａｎｉｃ  Ｌｉｇｈｔ−Ｅｍｉｔｔｉｎｇ  Ｄｉｏｄｅ，有機発光ダイオード）層７１１と、パッケージ層７１６と、フレキシブル伸縮有機層７１７と、を含む。なお、遮断層７１４は、水蒸気や酸素からＴＦＴ層７１５を守ることによって、ＴＦＴ層７１５の劣化速度を抑制し、ＴＦＴ層７１５の寿命を延長することができる。フレキシブル基板７１３は、ストレッチャブルディスプレイ７０が引っ張られるときに受ける一部の応力を吸収することによって、基板層の伸縮性能がより良くなるようにすることができる。
【００４０】
伸縮領域７４０は、サブ表示領域７１０と画素補償領域７２０との間に設置され、応力解放モジュールを含む。ここで、応力解放モジュールの中の各層は、サブ表示領域７１０及び画素補償領域７２０の中の各層に一対一対応する。応力解放モジュールの中の各層は応力解放層と称されることができ、例えば、応力解放モジュールにおいては７つの応力解放層が設置されてもよい。図５に示すよう、フレキシブル有機層７１２に対応する位置に１層目の応力解放層を設置し、１層目の応力解放層の上においてフレキシブル基板７１３に対応する位置に２層目の応力解放層を設置し、２層目の応力解放層の上において遮断層７１４に対応する位置に３層目の応力解放層を設置し、３層目の応力解放層の上においてＴＦＴ層７１５に対応する位置に４層目の応力解放層を設置し、４層目の応力解放層の上においてＯＬＥＤ層７１１に対応する位置に５層目の応力解放層を設置し、５層目の応力解放層の上においてパッケージ層７１６に対応する位置に６層目の応力解放層を設置し、６層目の応力解放層の上においてフレキシブル伸縮有機層７１７に対応する位置に７層目の応力解放層を設置する。
【００４１】
実施例において、ＯＬＥＤ層７１１に対応する５層目の応力解放層においては少なくとも１つの補償サブ画素が設置されており、ＴＦＴ層７１５に対応する４層目の応力解放層においては少なくとも１つのＴＦＴが設置されている。制御ユニットは、ＴＦＴ層７１５及び４層目の応力解放層における少なくとも１つのＴＦＴを制御することによって、複数のサブ画素及び少なくとも１つの補償サブ画素の表示状態を制御する。ＯＬＥＤ層７１１における複数のサブ画素及び少なくとも１つの補償サブ画素の配列方式と表示状態は図４に示される通りであってもよく、ここでは説明を省略する。本実施例において、応力解放モジュールにおける各層の材料は同一であってもよく、好ましくは、スチレン系又はエポキシ系ポリマーなどの形状記憶ポリマーであってもよい。
【００４２】
なお、ストレッチャブルディスプレイ７０を製作するときには、ガラス基板全体の上にＰＤＭＳの層を敷設してから、上述の内容に従って設置操作を行う（最下層と最上層は除外）ことができる。次に、各画素構造のパッケージ層と各応力解放モジュールの６層目の応力解放層とのそれぞれの上に全体的にＰＤＭＳの層を敷設することができる。最後に、ストレッチャブルディスプレイ７０をガラス基板からフレキシブルに剥離する。また、ストレッチャブルディスプレイ７０を製作するときには、応力解放領域を含まないディスプレイを予め製作しておいてもよい。その次にはレーザーを用いて溝状の応力解放領域を形成し、形状記憶ポリマーを当該応力解放領域の各層に充填する。充填するときには、１層ずつに充填してもよく、３層目の応力解放層までを充填してから４層目の応力解放層、５層目の応力解放層、最終的に最上層までを充填してもよい。
【００４３】
本願は、上述のいずれか一実施例により提供されるストレッチャブルディスプレイを備える表示装置を更に提供する。
【００４４】
以上の内容は本願の好ましい実施例に過ぎず、本願の保護範囲を限定するためのものではない。本願の精神と原則の範囲以内で行われる変更、同等な置換、更新などは、すべて本願の保護範囲に属するべきである。
【図１ａ】
0006961805.tif 000008
【図１ｂ】
0006961805.tif 000009
【図１ｃ】
0006961805.tif 000010
【図１ｄ】
0006961805.tif 000011
【図２】
0006961805.tif 000012
【図３】
0006961805.tif 000013
【図４】
0006961805.tif 000014
【図５】
0006961805.tif 000015